(57)【要約】【課題】  ディスペンサーパッケージを確実に固定し、そのパッケージに収容されているタオルを容易に一枚ずつ取り出すことができるホルダーおよびそのホルダーとパッケージの組合せ体を提供する。【解決手段】  組合せ体は、開口を有するシート材料からなる本体と、シート材料に開口を包囲するように取り付けられたキャップ組立体４６とを有するディスペンサーパッケージ４０を備え、キャップ組立体４６はフランジ５２を備えている。また、内面、外面、および内面と外面間に延在する窓孔３２の付いた前壁２６を有するホルダー２０がある。シート材料がホルダー２０の内面と対向してフランジ５２がホルダーの外面と対向した状態でキャップ組立体４６の一部が前壁２６の窓孔３２を通過するように、ディスペンサーパッケージ４０がホルダー２０内に挿入される。【選択図】  図６
2005035671.tif 000002
【特許請求の範囲】
【請求項１】
ディスペンサーパッケージとホルダーとを含んでなる組合せ体であって、  前記ディスペンサーパッケージは少なくとも１つの物品を取り出すための開口を有するシート材料からなる本体と、前記シート材料に取り付けられて、前記開口を包囲するキャップ組立体とを備え、前記キャップ組立体はフランジを備え、  前記ホルダーは内面と、外面と、該内面と該外面との間に延在する窓孔とを有する前壁を備え、  前記ディスペンサーパッケージは前記ホルダー内に挿入可能であり、前記シート材料が前記ホルダーの前記内面と対向し、前記フランジが前記ホルダーの前記外面と対向した状態で、前記キャップ組立体の一部が前記前壁の前記窓孔を通っており、  前記フランジは前記前壁の前記窓孔の範囲を超えて張り出している部分を有し、前記ディスペンサーパッケージが前記ホルダー内に挿入されているときに前記フランジが前記窓孔を通るのを防ぐようになっている組合せ体。
【請求項２】
前記ホルダーは前記前壁と対向する後壁をさらに備え、前記前壁と前記後壁との間に前記ディスペンサーパッケージが嵌入される内室が画成されることを特徴とする請求項１に記載の組合せ体。
【請求項３】
前記後壁は前記後壁の上端から延在するフラップを有し、前記フラップは前記前壁に固着可能であり、前記フラップはその閉鎖位置において前記内室を覆うことを特徴とする請求項２に記載の組合せ体。
【請求項４】
前記ホルダーの前記前壁と前記後壁間に延在する互いに離間した側壁をさらに備えることを特徴とする請求項２に記載の組合せ体。
【請求項５】
前記側壁間に延在する固定要素をさらに備えることを特徴とする請求項４に記載の組合せ体。
【請求項６】
前記固定要素は第１側壁に取り付けられる第１端と前記第２壁に取り付けられる第２端を有していることを特徴とする請求項５に記載の組合せ体。
【請求項７】
前記固定要素は前記側壁を互いに向かって付勢する弾性固定ストラップであることを特徴とする請求項５に記載の組合せ体。
【請求項８】
前記側壁は可撓性を有し、前記前壁と前記後壁を相対的に移動させることが可能であることを特徴とする請求項４に記載の組合せ体。
【請求項９】
前記前壁と前記後壁はそれらの下端において一体的に接続されていることを特徴とする請求項２に記載の組合せ体。
【請求項１０】
前記前壁と前記後壁は可撓性材料によって形成されていることを特徴とする請求項２に記載の組合せ体。
【請求項１１】
前記ホルダーの前記前壁および前記後壁は皮、布、ポリ塩化ビニル樹脂、および他のプラスチックからなる群から選択される材料によって形成されることを特徴とする請求項２に記載の組合せ体。
【請求項１２】
前記キャップ組立体は前記ディスペンサーパッケージの前記シート材料の外面に取り付けられていることを特徴とする請求項１に記載の組合せ体。
【請求項１３】
前記キャップ組立体は前記ディスペンサーパッケージの前記シート材料の外面に取り付けられる基部を備え、前記フランジは前記基部から外側に延在し、前記キャップ組立体は前記フランジにヒンジを介して接続されるキャップをさらに備え、前記キャップは開位置と閉位置との間で移動可能であることを特徴とする請求項１２に記載の組合せ体。
【請求項１４】
前記フランジは前記キャップ組立体の前記基部に一体的に接続されていることを特徴とする請求項１３に記載の組合せ体。
【請求項１５】
前記フランジは前記窓孔の幅よりも大きい幅を有していることを特徴とする請求項１に記載の組合せ体。
【請求項１６】
前記キャップ組立体の前記基部は前記窓孔の幅よりも小さい幅の外周を有し、前記窓孔を貫通可能であることを特徴とする請求項１３に記載の組合せ体。
【請求項１７】
前記シート材料は可撓性を有していることを特徴とする請求項１に記載の組合せ体。
【請求項１８】
前記シート材料は恒久的に密封されて気密容器を形成することが可能なビニルフィルム、箔、および他の可撓性材料からなる群から選択されることを特徴とする請求項１７に記載の組合せ体。
【請求項１９】
前記ディスペンサーパッケージはつぶすことができることを特徴とする請求項１に記載の組合せ体。
【請求項２０】
前記ディスペンサーパッケージから取り出し可能な少なくとも１つの物品はシート、ナプキン、ティッシュ、拭取り紙、およびペーパータオルからなる群から選択されることを特徴とする請求項１に記載の組合せ体。
【請求項２１】
前記ホルダーの前記後壁に互いに離間して取り付けられる少なくとも２つの弾性保持ストラップをさらに備えていることを特徴とする請求項２に記載の組合せ体。
【請求項２２】
前記弾性保持ストラップは各々前記後壁の上端に取り付けられる第１部分と前記後壁の下端に取り付けられる第２部分を有し、前記第１部分と前記第２部分は留め具によって互いに離脱可能に固着されることを特徴とする請求項２１に記載の組合せ体。
【請求項２３】
前記留め具はループ・フック留め具であることを特徴とする請求項２２に記載の組合せ体。
【請求項２４】
前記窓孔は前記前壁の上端まで延長し、前記前壁を左部分と右部分に分割する間隙を画成することを特徴とする請求項１に記載の組合せ体。
【請求項２５】
前記前壁の前記左部分と前記前壁の前記右部分間に延在する前部固定要素をさらに備えていることを特徴とする請求項２４に記載の組合せ体。
【請求項２６】
前記前部固定要素は前記前壁の前記左部分に接続される第１端および前記前壁の前記右部分に接続される第２端を有していることを特徴とする請求項２５に記載の組合せ体。
【請求項２７】
前記前部固定要素は前記前壁の前記左部分と前記右部分を互いに向かって付勢する弾性固定ストラップであることを特徴とする請求項２６に記載の組合せ体。
【請求項２８】
ホルダーと、ディスペンサーパッケージと、少なくとも２つの弾性ストラップとを含んでなる組合せ体であって、  前記ホルダーは、窓孔を有する前壁と、該前壁と対向する後壁とを備え、前記前壁と前記後壁は内室を画成し、  前記ディスペンサーパッケージは、その内部から少なくとも１つの物品を取り出す開口を有するシート材料からなる本体を備え、前記ディスペンサーパッケージは前記シート材料の前記開口が前記前壁の前記窓孔と実質的に位置合わせされた状態で前記ホルダーの前記内室に挿入可能であり、  前記少なくとも２つの弾性ストラップは前記ホルダーの前記後壁に取り付けられ、前記弾性ストラップは各々、前記後壁の上端に取り付けられた第１部分と、前記後壁の下端に取り付けられた第２部分とを有し、前記第１部分と前記第２部分は留め具によって離脱可能に固着されている、組合せ体。
【請求項２９】
前記留め具はフック・ループ留め具であることを特徴とする請求項２８に記載の組合せ体。
【請求項３０】
前記ディスペンサーパッケージは前記シート材料に前記開口を包囲するように取り付けられるキャップ組立体を備え、前記キャップ組立体はフランジを備えることを特徴とする請求項２８に記載の組合せ体。
【請求項３１】
前記ホルダーの前記前壁は、内面と、外面と、該内面と該外面との間に延在する前記開口とを有し、  前記ディスペンサーパッケージは前記ホルダー内に挿入可能であり、前記シート材料が前記ホルダーの前記内面と対向し、前記フランジが前記ホルダーの前記外面と対向した状態で、前記キャップ組立体の一部が前記前壁の前記窓孔を通過するようになっており、  前記フランジは前記前壁の前記窓孔の範囲を超えて張り出す部分を有し、前記ディスペンサーパッケージが前記ホルダー内に挿入された後に前記フランジが前記窓孔を通るのを防ぐものである  ことを特徴とする請求項３０に記載の組合せ体。
【請求項３２】
ディスペンサーパッケージとホルダーとを含んでなる組合せ体であって、    前記ディスペンサーパッケージは、少なくとも１つの物品を取り出すための開口を有するシート材料からなる本体と、該シート材料に該開口を包囲するように取り付けられたキャップ組立体とを備え、前記キャップ組立体はフランジを備え、  前記ホルダーは、内面と、外面と、該内面と該外面との間に延在する窓孔とを有する前壁を備え、  前記シート材料が前記ホルダーの前記内面と対向し、前記フランジが前記ホルダーの前記外面と対向するように、前記ディスペンサーパッケージは前記ホルダー内に挿入可能であり、  前記フランジは、前記前壁の前記窓孔の範囲を超えて張り出す部分を有し、前記ディスペンサーパッケージが前記ホルダー内に挿入されているときに前記フランジが前記窓孔を通るのを防ぐ  ことを特徴とする組合せ体。
【請求項３３】
前記ホルダーは前記前壁と対向する後壁をさらに備え、前記前壁と前記後壁は前記ディスペンサーパッケージが嵌入する内室を画成することを特徴とする請求項３２に記載の組合せ体。
【請求項３４】
前記後壁はその上端から延出するフラップを有し、前記フラップは前記前壁に固着可能であり、前記フラップはその閉鎖位置において前記内室を覆うことを特徴とする請求項３３に記載の組合せ体。
【請求項３５】
前記ホルダーの前記前壁と前記後壁間に延在する互いに離間してかつ対向する側壁をさらに備えていることを特徴とする請求項３３に記載の組合せ体。
【請求項３６】
前記ホルダーの前記後壁に互いに離間して取り付けられた少なくとも２つの弾性ストラップをさらに備えていることを特徴とする請求項３３に記載の組合せ体。
【請求項３７】
前記弾性ストラップは各々前記後壁の上端に取り付けられた第１部分および前記後壁の下端に取り付けられた第２部分を有し、前記第１部分と前記第２部分は留め具によって離脱可能に固着される自由端を有していることを特徴とする請求項３３に記載の組合せ体。
【発明の詳細な説明】
【技術分野】
【０００１】  本発明は、シート、タオル、ペーパータオル、ティッシュペーパー、ナプキン、あるいは拭取り紙を収納するディスペンサーパッケージに関し、特にこのようなディスペンサーパッケージを固定するためのホルダーに関する。
【背景技術】
【０００２】  シート、タオル、ペーパータオル、ティッシュペーパー、ナプキン、および拭取り紙のような物品が個人ベースの衛生管理に用いられることが多く、このような物品を収容するのに便利なパッケージやディスペンサーの開発に多大の努力が払われている。例えば、米国特許第２、２７８、０１１号、米国特許第２、５６４、９９７号、米国特許第５、０６５、９７０号、および米国特許第５、３３２、１３８号は自動車のサンバイザーに固着可能なティッシュペーパー容器を開示している。また、米国特許第２、８１８、３１８号はテーブルの縁に取付け可能なティッシュペーパーホルダーを開示し、米国特許第３、８２６、４０７号は個人の手首に取付け可能なティッシュペーパーディスペンサーを開示している。【０００３】  一方、個人ベースの衛生および化粧の目的や家庭内での洗浄用途などのために湿潤ティッシュペーパーあるいは湿潤ペーパータオルを用いる需要も多く、この需要に応じて湿分含浸物品を収容するための種々の湿分を通さないパッケージが開発されている。米国特許第３、７８０、９０８号、米国特許第３、８３６、０４４号および米国特許第３、８４１、４６６号はこのような湿分不浸透性パッケージを開示している。しかし、これらの特許に開示されているのは濡れタオルを収容する大型の箱状パッケージである。従って、これらのパッケージはサンバイザーまたはテーブルの端縁などの対象物に簡単に取付けることができない。【０００４】  前述の問題を解消するために、最近、ユーザが使いやすいディスペンサーパッケージの開発に多大の努力が払われている。例えば、本出願人に譲渡された米国特許第４、１５６、４９３号および米国特許第４、１８５、７５４号は再閉鎖可能カバーを有する気密パッケージを教示している。なお、これらの特許の開示内容は引用によって本明細書の一部をなすものとする。これらの特許に開示されている好適な実施例によれば、カバーを開いて１つ以上の湿分気含浸タオルを取出し、次いで、カバーを閉じて残存するタオルを湿潤状態に維持する。パッケージは通常ポリ塩化ビニル樹脂または箔などの可撓性材料からなる１つ以上のシートによって形成されている。従って、収容しているタオルが少なくなると、パッケージはつぶれてゆく。【０００５】  米国特許第４、１５６、４９３号および米国特許第４、１８５、７５４号に開示されているパッケージはホルダー内に固定されて使用される場合が多い。その場合、パッケージをホルダーに固定するためにホルダーがパッケージの可撓性シート部分に力を加えるので、その押圧されたパッケージから湿潤タオルを取出すことが困難になることがある。さらに、収容しているタオルが少なくなると、パッケージは萎むというか潰れるので、ホルダーから外に落下したり、ホルダーの取出口から奥に引っ込んでしまい、パッケージ内に残留するタオルを指で摘むのが極めて困難になることがある。
【発明の開示】
【発明が解決しようとする課題】
【０００６】  本発明は上記の事情を鑑みてなされたものであり、本発明の目的はディスペンサーパッケージを確実に固定し、そのパッケージに収容されているタオルを容易に一枚ずつ取り出すことができるホルダーと、そのようなホルダーとパッケージの組合せ体あるいは組合せとを提供することにある。また、本発明の他の目的はディスペンサーパッケージ内に残存するタオルが少なくなっても、そのパッケージをホルダーの適切な箇所に維持することができるホルダーと、そのようなホルダーとパッケージの組合せを提供することにある。さらに、本発明の他の目的は空のディスペンサーパッケージを詰め替えパッケージと容易に交換することができるように設計されたホルダーと、そのようなホルダーとパッケージの組合せを提供することにある。
【課題を解決するための手段】
【０００７】  上記の目的を達成するために、本発明の好ましい実施形態によれば、組合せ体は、ディスペンサーパッケージおよびそのパッケージを固定するためのホルダーを備えている。このパッケージは交換可能である。すなわち、パッケージに収納されたタオルがすべて取り出された場合、詰め替えパッケージがホルダーに固定されるように構成されている。また、テーブルの上面などの表面部にパッケージを保持するための別体の留め具を必要に応じてホルダーに取り付けることができる。好ましくは、ホルダーは自動車のサンバイザーやテーブルまたは幼児椅子の縁などに固着されるとよい。ユーザが着用するベルトやエプロンに固着される。あるいは、ねじ、釘、または吸着カップのような１つ以上の留め具を用いて、壁またはテーブル上面に恒久的に固着される。【０００８】  好ましくは、ディスペンサーパッケージは１枚以上の可撓性シートによって形成することができる。可撓性シートの例として、恒久的に密封されて気密容器を形成することができるビニルフィルム、箔、あるいは他の可撓性シートが挙げられる。可撓性シートにはそのシートを貫通する開口を設けることができる。この開口の形成はパッケージを形成する前に行うことができる。可撓性シートの開口は１つ以上の物品、例えば、湿潤タオルがパッケージから１枚ずつ取り出せる寸法および形状を有する。収容されているタオルが少なくなると、パッケージは潰れる。パッケージは好ましくはナプキン、シート、ティッシュペーパー、拭取り紙、タオルおよび／またはペーパータオル（以下、「タオル」と総称する）を収納できるように構成することができる。パッケージに収納されるタオルは、第１のタオルをパッケージから取出すと、第２のタオル、すなわち、後続のタオルの前縁が開口まで引き出されるように重ねておくことができる。前述したように、パッケージは好ましくは収納しているタオルの湿潤状態を維持するように密封されている。【０００９】  再密封可能キャップ組立体を上記の可撓性シートにその開口を覆うように取り付けることができる。好ましくは、キャップ組立体は、パッケージ内に湿分を封じ込めて、タオルの湿潤状態を維持するように構成することができる。さらに、キャップ組立体は、パッケージの開口から突出しているタオルの前縁の湿分も維持するように構成することができる。好ましくは、キャップ組立体は可撓性シートの外面および／または内面に取付けられる。また、キャップ組立体には、パッケージ内の開口を包囲するカラー（襟部）を備えることができる。カラーは可撓性シートの外面および／または内面に取付けることができる。あるいは、このカラーを可撓性シートの外層と内層との間に挟むことができる。カラーは、超音波シール、ヒートシール、糊付け、あるいは接着剤、例えば、エポキシ系接着剤、特にホットメルトエポキシ系接着剤による接着によって取り付けることができる。キャップ組立体はカラーから上方に、すなわち、パッケージから離れるように突出する密封フランジを備えていることができる。密封フランジはカラーと一体的に形成できる。好ましくは、密封フランジとカラーは一体成形されたプラスチックからなる単一体である。キャップ組立体はさらに再閉鎖可能キャップを備えることができる。再閉鎖可能キャップは、密封フランジの上面と係合してパッケージの開口を選択的に閉鎖し、パッケージ内の湿分を維持することができるように構成することができる。好ましくは、再閉鎖可能キャップはヒンジ（蝶番）によって密封フランジに回動可能に接続されている。その結果、再閉鎖可能キャップはそのキャップを繰り返し開閉させ、開位置においてパッケージから１つ以上の物品を取り出し、閉位置においてパッケージ内の湿分を維持することができる。再閉鎖可能キャップには１つ以上の切欠部または把持要素が設けられた外周部を設けることができる。ユーザはこの切欠部または把持要素に指を引っ掛けて、キャップを容易に開位置と閉位置との間で移動させることができる。好ましくは、把持要素はキャップの外周部から外方に延在する１つ以上の突出部である。【００１０】  ホルダーは上端と下端を有する前壁、上端と下端を有する後壁、および前壁と後壁の下端間に延在してそれらを接続する底壁を備えていることができる。このホルダーは略Ｕ字形の形状を有することができる。また、前壁、後壁、および底壁によって、前述の可撓性ディスペンサーパッケージが嵌入されるパッケージ嵌入領域が形成されるようにできる。ホルダーの寸法、特にパッケージ嵌入領域の寸法はホルダーに挿入されるパッケージの寸法に依存して変更することができる。好ましくは、ホルダーは前壁と後壁の上端側、すなわち、底壁から離れた側に開端を有している。【００１１】  好ましくは、ホルダーは前壁と後壁との間に延在する１つ以上の側壁をさらに備えている。１つ以上の側壁を設けることによって、ホルダーの構造的一体性を向上させると共に、ディスペンサーパッケージの密封端部を露出しないよう覆うことができる。このように、１つ以上の側壁はパッケージの密封端部を被覆かつ保護し、ホルダーの構造的一体性を改善すると共に、パッケージとホルダーの組合せ体の美的外観を改善することができる。【００１２】  好ましくは、ホルダーの前壁は外周縁およびその外周縁から内方に位置する窓孔を有している。前壁窓孔は好ましくは前壁の外周縁から内方に離間した内周縁によって画成される。窓孔は１つの側辺が開いたＵ字状であるとよいが、その開いた側辺を閉じたロ字状であってもよい。【００１３】  好ましくは、片手で再閉鎖可能キャップを開けて、パッケージから１つ以上のタオルを取出せるように、ホルダーは静止対象物に取付けられる。ホルダーは、そのホルダーに取付け可能または一体に接続されたクリップを介して静止対象物に固着させることができる。クリップは、ホルダーの前壁から離れた箇所、すなわち、ホルダーの後壁に接続することができる。このようなクリップによって、ホルダーを端縁表面、例えば、車のサンバイザー、テーブル、幼児椅子、あるいは作業ベルトの縁、および／またはエプロンに固着させることができる。ホルダーとクリップとの複合体は、略Ｓ字状の構造を持たせることができる。すなわち、クリップには、ホルダーの開端と逆向きの開端を持たせることができる。クリップはホルダーから取外し可能であるとよい。この場合、種々の寸法を有するクリップを同一のホルダーに必要に応じて取付けることがで���る。ホルダーに取付け可能なクリップの設計、様式、または形状を変更することによって、ホルダーを種々の表面あるいは構造体に取付けることができる。例えば、下向きに開いたクリップを右向きに開いたクリップに変更することができる。種々の寸法を有する複数のクリップを１つのホルダーに取付けることもできる。このような複数のクリップを有するホルダーは種々の寸法を有するサンバイザー、テーブル、端縁表面などに簡単に取付けることができる。【００１４】  使用する場合、ディスペンサーパッケージの本体部をホルダーの前壁と後壁との間に滑り込ませることによって、そのパッケージをホルダーに固定することができる。好ましくは、再密封可能キャップ組立体の一部を前壁の窓孔から外部に突出させてキャップ組立体を前壁窓孔の内周縁と係合させるとよい。このようにして、キャップ組立体を前壁の窓孔の内周縁に圧入、溝差込、または摩擦係合させ、パッケージをホルダーに固定することができる。【００１５】  好ましくは、前壁窓孔の寸法はその前壁窓孔と係合する再密封可能キャップ組立体の表面領域の寸法と実質的に同一にすることができる。その結果、キャップ組立体を前壁窓孔に滑り込ませることによって、そのキャップ組立体を前壁窓孔の内周縁と係合させることができる。ディスペンサーパッケージをこのようにしてホルダーに固定した後、ユーザは再閉鎖可能キャップを開けて、パッケージから１つ以上のタオルを取り出すことができる。【００１６】  本発明は操作方法については特に制限されないが、再密封可能キャップ組立体を前壁窓孔に係合させることによって、ディスペンサーパッケージをホルダーに固定するので、パッケージの可撓性材料部分はホルダーによって圧縮されることがなく、収容された物品をパッケージから容易に取り出すことができる。これが従来のホルダーに対する本発明の改善点である。すなわち、従来のホルダーは、一般的に、パッケージの可撓性材料部分に挟み込む力が付加され、パッケージからタオルを取り出すのが困難である。さらに、本発明によれば、パッケージの開口をホルダーの前壁窓孔に固定しているので、収容しているタオルが少なくなったときに、パッケージが潰れて前壁窓孔から奥の方に引っ込んでしまうという不都合を解消することができる。【００１７】  本発明の好ましい他の実施例によれば、再密封可能キャップ組立体をホルダーに固定するために、キャップ組立体は前壁窓孔の内周縁と係合可能な１つ以上の周縁を有する表面部（例えば、カラーあるいは襟部）を備えているとよい。この場合、ホルダーの前壁窓孔の内周縁は前壁の上端と下端との間に延在する１つ以上の溝を有しているとよい。このような窓孔の内周縁の溝内にキャップ組立体のカラーの周縁を嵌入させることによって、キャップ組立体をホルダーに固定させることができる。カラーの側面は、上端から下端に向かって内側に傾斜させることができる。この構成によって、カラーの周縁を容易に前壁窓孔の溝内に滑り込ませることができる。また、カラーは、その側縁から上方かつ横方向に突出する取付けフランジを備えることができる。この場合も、取付けフランジの周縁は上面から底面に向かって外側に傾斜させることができる。【００１８��  ホルダーをそのホルダーの壁およびホルダーに固定されたディスペンサーパッケージを選択的に加熱する加熱ユニットに接続させてもよい。加熱ユニットを作動させると、加熱ユニットはホルダーの壁を加熱し、次いで、パッケージ内のタオルを所望の温度（例えば、体温）まで加熱する。【００１９】  ホルダーは、加熱ユニットを内蔵するスタンド、すなわち、基台上に取付けることができる。基台は好ましくは１つ以上の作動によって発熱する加熱コイルを内蔵することができる。加熱コイルは、ホルダーの前壁、後壁および／または底壁に隣接して延在させることができる。その結果、作動された加熱コイルが発生する熱がホルダーの壁に熱伝導される。次いで、ホルダーの壁に伝導された熱は、ディスペンサーパッケージおよびその中に収容されているタオルに伝達される。【００２０】  好ましくは、前壁窓孔の内周縁は加熱ユニットと連通する１つ以上のアクチュエータを有する。１つ以上のアクチュエータは、好ましくは、第１位置と第２位置との間で移動可能である。アクチュエータが第１位置にある場合、加熱コイルを作動させる信号が加熱ユニットに送給される。一方、アクチュエータが第２位置にある場合、加熱コイルを非作動にする信号が加熱装置に送給される。好ましくは、ディスペンサーパッケージがホルダーに固定されると、再密封可能キャップ組立体の外周部が１つ以上のアクチュエータ要素と係合し、加熱ユニットを作動するように構成する。加熱ユニットは、その加熱ユニットの作動を切り換えて加熱ユニットの加熱レベルを制御する１つ以上の制御装置を備えうる。このような制御装置の好ましい例として、オン位置、オフ位置、低加熱位置、中間加熱位置、および高加熱位置の間で移動することができる回転可能ノブが挙げられる。【００２１】  好ましくは、ホルダーの前壁窓孔の内周縁は１つ以上の内方へ延在する突起部を備え、再密封可能キャップ組立体の外周部はこの１つ以上の突起部が嵌入する寸法および形状を有する１つ以上の凹部を備えている。特に、キャップ組立体内の１つ以上の凹部は、密封フランジの外周部内に設けることができる。ディスペンサーパッケージがホルダー内に挿入されると、前壁窓孔の雄端部である突出部がキャップ組立体の外周部の凹部と噛合して、キャップ組立体をホルダーに固定する。あるいは、前壁窓孔の内周縁が１つ以上の凹部を備え、キャップ組立体の外周部が前壁窓孔の内周縁内の１つ以上の凹部内に嵌入する寸法および形状を有する１つ以上の突起部を備えるようにすることができる。【００２２】  本発明による好ましいさらに他の実施態様によれば、外周部を有する再密封可能キャップ組立体を有するディスペンサーパッケージを固定するためのホルダーは、前壁、後壁、および前壁と後壁の下端同士を接続する底壁を備えている。ホルダーの前壁、後壁、および底壁は、パッケージが嵌入するパッケージ嵌入領域を画成する。前壁はその内周縁によって画成された窓孔を有している。ホルダーはさらに前壁、後壁および／または底壁の少なくとも１つに熱を伝える加熱要素を備えている。好ましくは、ホルダーは前壁窓孔の内周縁に設けられる加熱要素と連通している少なくとも１つのアクチュエータを備えている。少なく���も１つのアクチュエータは加熱要素を作動するための第１位置と加熱要素を非作動にするための第２位置との間で移動可能である。使用時において、再密封可能キャップ組立体の外周部が前壁窓孔の内周縁と係合し、パッケージをホルダーに固定するように構成されるとよい。キャップ組立体がこのようにホルダーに固定されると、キャップ組立体の外周部は少なくとも１つのアクチュエータと係合し、そのアクチュエータを第１位置へ移動させ、加熱要素を作動させる。【００２３】  好ましくは、ホルダーの前壁は、その前壁を開位置と閉位置との間で回動させるヒンジ（蝶番）を備えている。この構成によれば、前壁を閉位置から開位置へ回動させることによって、ディスペンサーパッケージをホルダーに容易に装填させ、および／またはホルダーから容易に取出すことができる。パッケージをホルダーに配置した後、前壁を回動させて閉位置に戻すとよい。好ましくは、ホルダーは前壁を閉位置に戻すように付勢する弾性要素、例えば、バネを備えているとよい。この弾性要素は前壁のヒンジに隣接して配置されるとよい。この構成によれば、開位置にある前壁から指を離すだけで、前壁は弾性力によって閉鎖位置に戻る。【００２４】  本発明の好ましい実施態様によれば、組合せ体は少なくとも１つの物品を取り出すための開口を有するシート材料からなる本体、およびシート材料に開口を包囲するように取り付けられたキャップ組立体を有するディスペンサーパッケージを備え、キャップ組立体はフランジを備えている。また、この組合せ体は内面、外面、および内面と外面間に延在する窓孔の付いた前壁を有するホルダーを備えている。窓孔は、前壁の上端まで延長し、前壁を左部分と右部分に分割する間隙を画成することができる。この組合せ体において、シート材料がホルダーの内面と対向してフランジがホルダーの外面と対向した状態でキャップ組立体の一部が前壁の窓孔を通過するように、ディスペンサーパッケージをホルダー内に挿入することができる。また、パッケージがホルダー内に挿入された後にフランジが窓孔を通過するのを防ぐために、フランジは前壁の窓孔の範囲からはみ出ている部分を有することができる。すなわち、キャップ組立体はパッケージがホルダー内に挿入された後に前壁の窓孔を通過できない大きな寸法の部分を有している。【００２５】  好ましくは、ホルダーは前壁と対向する後壁を備え、前壁と後壁はディスペンサーパッケージが嵌入される内室を画成する。後壁は、その上端から延在するフラップを有し、フラップは前壁に固着可能にすることができる。好ましくは、フラップはその閉鎖位置においてホルダーの内室を覆うように構成される。この構成によれば、閉鎖位置において、フラップは前壁の左部分と右部分が互いに離れて広がるのを防ぎ、キャップ組立体の大きい寸法の部分が前壁の窓孔を通過するのを阻止することができる。ホルダーは前壁と後壁間に延在する互いに離間した側壁をさらに備えている。これらの側壁は前壁と後壁を相対的に移動可能とさせる可撓性を有することができる。【００２６】  好ましくは、前壁と後壁はそれらの下端において一体的に接続されている。また、前壁と後壁は可撓性材料によって形成されているとよい。前壁およ��後壁を形成するための好ましい材料として、皮、布、ポリ塩化ビニル樹脂、および他のプラスチックが挙げられる。【００２７】  前述したように、ディスペンサーパッケージは、好ましくは、そのパッケージのシート材料の外面に取り付けられるキャップ組立体を備える。キャップ組立体はパッケージのシート材料の外面に取り付けられる基部を備え、フランジは基部から外側に延在するようにすることができる。また、キャップ組立体はフランジにヒンジを介して接続されるキャップをさらに備え、キャップは開位置と閉位置との間で移動可能にすることができる。フランジはキャップ組立体の基部に一体的に接続することができる。好ましくは、フランジは窓孔の幅よりも大きい幅を有している。また、好ましくは、キャップ組立体の基部は窓孔の幅よりも小さいかまたは等しい幅の外周を有し、窓孔を貫通可能である。【００２８】  ディスペンサーパッケージのシート材料は可撓性を有し、パッケージはつぶすことができるものである。シート材料の好ましい例として、恒久的に密封されて気密容器を形成することが可能なビニルフィルム、箔、および他の可撓性材料が挙げられる。また、ディスペンサーパッケージから取り出し可能な少なくとも１つの物品の例として、シート、ナプキン、ティッシュ、拭取り紙、およびペーパータオルが挙げられる。【００２９】  好ましくは、ホルダーは、その後壁に互いに離間して取り付けられる少なくとも２つの弾性保持ストラップを備えることができる。また、好ましくは、弾性保持ストラップは、各々後壁の上端に取り付けられる第１部分と後壁の下端に取り付けられる第２部分を有し、第１部分と第２部分は留め具によって互いに離脱可能に固着することができる。留め具はＶＥＬＣＲＯＲの商品名で一般的に市販されているループ・フック留め具にすることができる。【００３０】  本発明の他の好ましい実施態様によれば、組合せ体は、窓孔を有する前壁および前壁と対向する後壁を有するホルダーを備え、前壁と後壁は内室を画成する。この組合せ体はさらに少なくとも１つの物品を取り出す開口を有するシート材料からなる本体を有するディスペンサーパッケージを備え、パッケージはシート材料の開口が前壁の窓孔と実質的に位置合わせされた状態でホルダーの内室に挿入可能である。この組立体は、さらにホルダーの後壁に取り付けられた少なくとも２つの弾性ストラップを備え、弾性ストラップは各々後壁の上端に取り付けられた第１部分および後壁の下端に取り付けられた第２部分を有し、第１部分と第２部分は留め具、例えば、フック・ループ留め具によって離脱可能に固着される。他の留め具の例として、スナップ、ボタン、フック、ループ、および留め金（バックル）が挙げられる。さらに、好ましくは、パッケージはシート材料に開口を包囲するように取り付けられるキャップ組立体を備え、キャップ組立体はフランジを備えることができる。【００３１】  ホルダーの前壁は内面、外面、および内面と外面に延在する開口を有している。このような組合せ体において、シート材料がホルダーの内面と対向してフランジがホルダーの外面と対向した状態でキャップ組立体の一部が前壁の窓孔を通過するように、ディスペンサーパッケージはホルダー���に挿入可能であるとよい。また、ディスペンサーパッケージがホルダー内に挿入された後にフランジが窓孔を通過するのを防ぐために、フランジは前壁の窓孔から横方向に張り出す一部を有するようにすることができる。【００３２】  本発明によるさらに他の好ましい実施態様によれば、組合せ体は少なくとも１つの物品を取り出すための開口を有するシート材料からなる本体、およびシート材料に開口を包囲するように取り付けられたキャップ組立体を有するディスペンサーパッケージを備え、キャップ組立体はフランジを備えている。この組合せ体はさらに内面、外面、および内面と外面間に延在する窓孔の付いた前壁を有するホルダーを備えている。この組合せ体において、シート材料がホルダーの内面と対向してフランジがホルダーの外面と対向した状態で、ディスペンサーパッケージがホルダー内に挿入可能にすることができる。また、ディスペンサーパッケージがホルダー内に挿入された後にフランジが窓孔を通過するのを防ぐために、フランジは前壁の窓孔の範囲を超えるように張り出す部分を有している。【００３３】  ホルダーは前壁と対向する後壁をさらに備え、前壁と後壁はディスペンサーパッケージが嵌入する内室を画成するようにすることができる。好ましくは、後壁はその上端から延出するフラップを有し、フラップは前壁に固着可能であり、フラップはその閉鎖位置において内室を覆うように構成される。ホルダーはその前壁と後壁間に延在する互いに離間してかつ対向する側壁をさらに備えることができる。少なくとも２つの弾性ストラップがホルダーの後壁に互いに離間して取り付けられている。好ましくは、弾性ストラップは各々後壁の上端に取り付けられた第１部分および後壁の下端に取り付けられた第２部分を有し、第１部分と第２部分は留め具によって離脱可能に固着される自由端を有するようにすることができる。【００３４】  本発明のさらに他の好ましい実施態様によれば、ホルダーはそのホルダーに挿入されたディスペンサーパッケージをその位置に保持するために、側壁間に延在する固定要素を備えている。この固定要素は第１側壁に取り付けられた第１端と第２側壁に取り付けられた第２端を有している。固定要素は側壁を互いに向かって付勢し、ディスペンサーパッケージが不注意によってホルダーの内室から脱落または除去されるのを防ぐことができる弾性固定ストラップである。好ましくは、ホルダーは前壁の左部分に接続される第１端と前壁の右部分に接続される第２端を有する前部固定要素をさらに備えている。この前部固定要素によって、パッケージがホルダー内に配置された後、前壁の左部分と右部分が互いに離れて広がるのを阻止することができる。【００３５】  本発明のさらに他の好ましい実施態様によれば、ホルダーの前壁は間隙によって分割される左部分と右部分を備えている。このホルダーは前壁の左部分と右部分との間に延在する固定要素を備えている。固定要素には第１側壁に取り付けられた第１端と第２側壁に取り付けられた第２端を設けることができる。また、固定要素は前壁の左部分と右部分を互いに対して付勢する弾性固定ストラップにすることができる。この固定要素によって、パッケージがホルダー内に挿入された後、ホルダ��に対するパッケージの係合が解除されるのを阻止することができる。【００３６】  以下、本発明によるこれらおよび他の実施態様について、さらに詳細に説明する。
【発明を実施するための最良の形態】
【００３７】［実施例１］  図１および図２は本発明の実施例１によるディスペンサーパッケージ用ホルダー２０を示している。ホルダー２０はディスペンサーパッケージが嵌入するパッケージ嵌入領域２２、およびホルダー２０をテーブルの表面、ベルト、あるいはエプロンなどの他の要素の縁に固定するクリップ２４を備えている。ホルダー２０は前壁２６、後壁２８、および前壁２６と後壁２８の下端同士を接続する底壁３０を有している。これらの前壁２６、後壁２８、および底壁３０はホルダー２０のパッケージ嵌入領域２２を包囲するように配置されている。図１に示すように、前壁２６は外周縁２７およびその外周縁２７から内方に位置する窓孔３２を備えている。すなわち、窓孔３２は前壁２６の外周縁２７から内方に離間した内周縁３４によって画成されている。ホルダー２０に取付けられているクリップ２４は後壁２８の上端に一体的に接続されているとよい。好ましくは、ホルダー２０はパッケージ嵌入領域２２の開端とクリップ２４の開端３８が逆向きになるような略Ｓ字状の形状を有している。また、ホルダー２０をテーブルなどの表面の端縁に容易に取付けることができるように、クリップ２４は、後壁２８に対して傾斜して外方に突出する取付けガイド３６を備えることができる。【００３８】  図３Ａ湿潤した物品、例えば、湿潤タオルを収納するディスペンサーパッケージ４０を示している。パッケージ４０は可撓性材料の単一シート４２からなる。可撓性材料の例として、恒久的に密封されて気密容器を得ることができるような材料、例えば、ビニルフィルムまたは箔が挙げられる。パッケージ４０は、互いに対向する端部４１Ａ、４１Ｂで密封することができる。図３Ｂに示すように、開口４３を画成する領域が可撓性シート４２に形成されている。この開口４３の形成は好ましくはパッケージ４０を形成および密封を行なう前に行うことができる。開口４３は引き出される湿潤タオル４４が通過するのに十分な寸法および形状を有している。また、開口４３は、湿潤タオルをその開口４３を介してパッケージ４０から１枚ずつ取り出せる限り、円形、卵形、あるいはスリットなど任意の形状でありうる。図３Ａおよび図４Ａに示すように、開口４３は再密封可能キャップ組立体４６によって覆われている。キャップ組立体４６は可撓性シート４２の外面５０に取付けられるカラー４８を備えている。図３Ｂに示すように、カラー４８は可撓性シート４２に形成された開口４３を完全に包囲するように配置されている。図４Ａに示すように、好ましくは、カラー４８は超音波シール、ヒートシール、糊付け、あるいは接着剤、例えば、エポキシ系接着剤、特にホットメルトエポキシ系接着剤を用いる接着によって、可撓性シート４２の外面５０に取付けることができる。なお、パッケージ４０が撓んだ場合も、カラー４８がその撓んだ可撓性シート４２に追従して湿分の密封性を維持できるように、カラー４８は可撓性シート４２に対して弾性的に取付けられることができる。【００３９】  図３Ｂおよび図４Ａに示すように、カラー４８は密封フランジ５２を備えている。フランジ５２はパッケージ４０の外面５０から外方に、すなわち、カラー４８から上方へ突出している。キャップ組立体４６は再閉鎖可能キャップ５４を備えている。このキャップ５４を開けることによって、パッケージ４０の開口４３からタオルを取り出すことができる。図５に示すように、キャップ５４はヒンジ（蝶番）５６によってフランジ５２に回動可能に接続されている。ヒンジ５６は好ましくはキャップ５４を繰り返し開閉させることができるような弾性体、例えば、プラスチックからなるとよい。図３Ｂ、図４Ａ、および図５に示すように、フランジ５２はカラー４８の外周部６４の内側に位置する外周部６２を有している。キャップ５４が閉位置にあるとき、キャップ５４の底面５８はフランジ５２の上面６０と係合する。【００４０】  図４Ｂはディスペンサーパッケージ４０の一変更例としてのディスペンサーパッケージ４０’を示す部分図である。パッケージ４０’は外面５０’および内面５１’を有する可撓性材料４２’からなる。可撓性材料４２’は外面５０’と内面５１’を貫通する開口４３’を有している。開口４３’は再密封可能キャップ組立体４６’によって覆われている。キャップ組立体４６’はカラー４８’、密封フランジ５２’、および再閉鎖可能キャップ５４’を備えている。パッケージ４０’は湿潤タオル４４’を収納している。湿潤タオル４４’は好ましくは第１のタオル４４Ａ’を開口４３’から取り出すと次のタオル４４Ｂ’の前端が開口４３’まで引っ張られるように綴じ込まれているとよい。図４Ｂに示すように、カラー４８’は可撓性材料４２’の内面５１’に取付けられている。フランジ５２’はカラー４８’に一体的に接続され、カラー４８’から開口４３’を通って上方に突出している。【００４１】  図６および図７は、図１および図２のホルダー２０に固定される図３Ａおよび図４Ａのディスペンサーパッケージ４０を示している。好ましくは、再密封可能キャップ組立体４６をホルダー２０の前壁窓孔３２内に滑らせて係合させることによって、パッケージ４０をホルダー２０に固定するとよい。すなわち、パッケージ４０をホルダー２０内に滑らせて嵌入させると、密封フランジ５２の外周部６２が前壁窓孔３２の内周縁３４と密接に係合し、パッケージ４０はホルダー２０に固定される。【００４２】  図８および図９はホルダー２０に固定された後の可撓性パッケージ４０を示している。図８に示すように、密封フランジ５２の外周部６２は前壁窓孔３２の内周縁３４と密接に係合している。また、図９に示すように、再閉鎖可能キャップ５４とフランジ５２の一部は前壁窓孔３２から外に突出している。キャップ組立体４６のカラー４８は前壁２６の内面と係合している。このように、パッケージ４０は密封フランジ５２の外周部６２と前壁窓孔３２の内周縁３４との係合によってホルダー２０に固定されるので、パッケージ４０の可撓性シート４２はホルダー２０によって挟まれて締め付けられることがなく、また、タオルをパッケージ４０から取出す際に、パッケージ４０がホルダー２０の前壁窓孔３２から外に抜け落ちることがない。【００４３】［実施例２］  図１０は本発明の好適な実施例２によるディスペンサーパッケージ用ホルダー１２０を示している。このホルダー１２０は窓孔の形状以外は前述のホルダー２０と実質的に同様の構成を有している。すな���ち、この実施例のホルダー１２０の前壁１２６の中央窓孔１３２はその上端側が接続片１３５によって塞がれている。従って、図１の好適な実施例１に示す上端側に開口を有する窓孔３２と異なって、中央窓孔１３２は上端側に開口を有していない。換言すれば、中央窓孔１３２の全周が前壁１２６の内周縁１３４によって画成されている。【００４４】  図１１に示すように、再密封可能キャップ組立体１４６の一部を中央窓孔１３２に挿通することによって、ディスペンサーパッケージ１４０を図１０のホルダー１２０に固定することができる。パッケージ１４０がホルダー１２０の適切な位置に嵌入されると、密封フランジの外周面１６２が前壁窓孔１２６の内周縁１３４と係合する。【００４５】［実施例３］  図１２および図１３は本発明による好適な実施例３によるディスペンサーパッケージ用ホルダー２２０を示している。ホルダー２２０は窓孔２３２を有する前壁２２６を備えている。窓孔２３２は前壁２２６の１つ以上の内周縁２３４によって画成されている。前壁２２６の内周縁２３４は窓孔２３２の中心に向かって突出する１つ以上の突起部２３５を備えている。図１３に示すように、密封フランジ２５２の外周部２６２は前壁窓孔２３２の内周縁２３４の突起部２３５と係合するような寸法と形状を有する１つ以上の凹部２３７を備えている。従って、パッケージをホルダー２２０に取り付けると、突出部２３５はフランジ２５２の凹部２３７と噛み合い、再密封可能キャップ組立体２４６をホルダーに２２０に固定することができる。あるいは、前壁２２６の窓孔２３２の内周縁２３４が１つ以上の凹部を備え、キャップ組立体２４６のフランジ２５２の外周部２６２がそれらの凹部と緊密に噛み合うような寸法と形状を有する１つ以上の突出部を備えていてもよい。この構成においても、凹部と突起部の噛み合いによって、パッケージをホルダー２２０に固定することができる。【００４６】［実施例４］  図１４は本発明の好適な実施例４による再密封可能キャップ組立体３４６を示す斜視図である。キャップ組立体３４６は密封状態にあるディスペンサーパッケージ、例えば、前述のディスペンサーパッケージの開口を覆うように構成されている。キャップ組立体３４６は上面３５１およびそこから離間した底面３５３を有するカラー３４８を備えている。カラー３４８の底面３５３は好ましくは接着剤、例えば、エポキシ系接着剤を用いて可撓性パッケージの外面に取付けられるとよい。キャップ組立体３４６はさらに上面３６０と外周部３６２を有する密封フランジ３５２、および密封フランジ３５２にヒンジを介して取付けられているキャップ３５４を備えている。また、キャップ３５４の開閉を行なうためにユーザの指と係合する切欠部３５５がキャップ３５４の下端に設けられている。【００４７】  図１４および図１５に示すように、再密封可能キャップ組立体３４６はカラー３４８を備えている。カラー３４８は上端３５７、下端３５９、および互いに対向する側面３６１Ａおよび３６１Ｂを備えている。側面３６１Ａおよび３６１Ｂは、それぞれ、組立体３４６の上端３５７と下端３５９間に延在する取付けフランジ３６３Ａおよび３６３Ｂを有している。カラー３４８の側面３６��Ａおよび３６１Ｂは上端３５７から下端３５９に向かって内方に傾斜している。図１５に示す例では、これらの側面は上端３５７から下端３５９に向かって約１〜３゜の角度αで内向きに傾斜している。【００４８】  図１６はカラー３４８の側面３６１Ｂの拡大図である。取付けフランジ３６３Ｂはカラー３４８の縁から突出している。好ましくは、取付けフランジ３６３Ｂはカラー３４８の縁から約３〜６ｍｍ突出しているとよい。好ましくは、取付けフランジ３６３Ｂの外縁３６５Ｂは約４〜６゜の角度βで外向きに傾斜しているとよい。また、図１６に示すように、取り付けフランジ３６３Ｂの下面に突起を設け、以下に述べる前壁の内周縁の溝に対応する凹部を設けてもよい。なお、取付けフランジ３６３Ｂと対をなす取付けフランジ３６３Ａも同様の構成を有している。【００４９】  図１７は前述の再密封可能キャップ組立体３４６が取り付けられたディスペンサーパッケージ用ホルダー３２０を示している。ホルダー３２０は好ましくはプラスチックまたは金属などの弾性材料からなるとよい。ホルダー３２０は前壁３２６、後壁３２８、および前壁３２６と後壁３２８の下端同士を接続する底壁３３０を備えている。前壁３２６は上端３２９と下端３３１および外周縁３２７Ａおよび３２７Ｂを有している。前壁３２６はさらに外周縁３２７Ａおよび３２７Ｂの内方に位置する窓孔３３２を有している。すなわち、窓孔３３２は外周縁３２７Ａおよび３２７Ｂの内方に位置する内周縁３３４によって画成されている。内周縁３３４は前壁３２６の上端３２９から下端３３１に向かって延在する溝３３３を有している。好ましくは、溝３３３は内縁３３４から外周縁３２７に向かって切れ込んでいるとよい。また、溝３３３は略Ｕ字形の基底部を有しているとよい。【００５０】  図１４ないし１７に示すように、再密封可能キャップ組立体３４６が取り付けられたディスペンサーパッケージをホルダー３２０に固定することができる。すなわち、取付けフランジ３６１Ａおよび３６１Ｂを前壁３２６の窓孔３３２の溝３３３内に滑り込ませることによって、パッケージをホルダー３２０に固定することができる。このようにパッケージがホルダー３２０の適切な位置に固定された状態において、密封フランジ３５２と再閉鎖可能キャップ３５４は窓孔３３２から外方に延出しているので、ユーザは容易にキャップ３５４の開閉を行うことができる。【００５１】［実施例５］  図１８は本発明の好適な実施例５による再密封可能キャップ組立体４４６を示している。キャップ組立体４４６はディスペンサーパッケージの外面に取付け可能なカラー４４８、カラー４４８に一体的に接続されている密封フランジ４５２と、フランジ４５２にヒンジを介して接続されている再閉鎖可能キャップ４５４とを備えている。図１８、２０、および２１に示すように、キャップ組立体４４６は、上端４５７、下端４５９、および上端４５７と下端４５９とを接続する側面４６１Ａおよび４６１Ｂを有している。図２０に示すように、好ましくは、側面４６１Ａおよび４６１Ｂは、各々、キャップ組立体４５９の上端４５７から下端４５９に向かって約１〜３゜の角度α′で内向きに傾斜させることができる。【００５２】  図２１に���すように、カラー４４８の底面４５３は好ましくはディスペンサーパッケージ４４０の外面４５０に接着剤、例えば、エポキシ系接着剤によって接着される。この場合、カラー４４８の最外縁４６３はパッケージ４４０の外面４５０に接着させず、最外縁４６３とパッケージ４４０の外面４５０間に間隙４６５を形成することができる。カラー４４８の外周縁４６３は好ましくは約４〜６゜の角度β′で外方に傾斜するようにできる。また、図２１に示すように、カラー４４８の上面に突起を設け、ホルダー４２０の溝４３３に対応する凹部を設けることができる。【００５３】  図１８の再密封可能キャップ組立体４４６をディスペンサーパッケージの外面に取付けた後、そのキャップ組立体４４６のカラー４４８を図１９の前壁４２６の窓孔４３２の内周縁４３４に設けた溝４３３に滑り込ませることによって、パッケージをホルダー４２０に固定させることができる。キャップ組立体４４６のカラー４４８が溝４３３内に嵌入した状態において、キャップ組立体４４６の密封フランジ４５２と再閉鎖可能キャップ４５４は窓孔４３２から外に突出している。従って、窓穴４３２から外方に露出しているキャップ４５４を繰返し開閉し、パッケージの開口からタオルを一枚ずつ取り出すことができる。【００５４】  図２２および図２３は図１９のホルダー４２０の後壁４２８に取付け可能なクリップ４２４を示している。なお、このクリップ４２４は図１７のホルダー３２０の後壁３２８にも取付けることができる。後壁４２８は一体成形された延長部４２９を備え、この延長部４２９は隆起４７３と長穴４７１を有している。クリップ４２４は隆起４７３が嵌入される寸法および形状を有する孔４７５を備えている。このクリップ４２４を長穴４７１に滑り込ませ、クリップ４２４の下端４７７を長穴４７１の下端４７９と係合させ、かつ隆起４７３を孔４７５に嵌入させることによって、クリップ４２４を後壁４２８に取り付けることができる。なお、クリップ４２４は弾性材料、例えば、プラスチックあるいは金属からなるとよい。このようにホルダー４２０の後壁４２８に取り付けられたクリップ４２４を用いることによって、ホルダー４２０をサンバイザー、テーブル上面、ベルト、あるいはエプロンなどの表面部の端に固定することができる。【００５５】［実施例６］  図２４および図２５は本発明の好適な実施例６によるホルダー５２０と加熱アセンブリの組合せ体を示している。ホルダー５２０は外周縁５２７を有する前壁５２６を備えている。前壁５２６は外周縁５２７から内方に位置する窓孔５３２を有している。すなわち、窓孔５３２は前壁５２６の外周縁５２７から内方に離間した内周縁５３４によって画成されている。前壁窓孔５３２の内周縁５３４は少なくとも１つの作動要素５３５を備えている。ディスペンサーパッケージの再密封可能キャップ組立体が窓孔５３２に挿入されると、そのキャップ組立体の一部が作動要素５３５と係合する。図２５に示すように、ホルダー５２０はさらに後壁５２８、および後壁５２８と前壁５２６の下端同士を接続する底壁５３０を備えている。【００５６】  図２４および図２５に示すように、組合せ体は１つ以上の加熱コイル５７２を有する基部５７０を備えている。ホルダー５２０はこの基部５７０に取り付けられる。この場合、ホルダー５２０の１つ以上の壁が対応する１つ以上の加熱コイル５７２のごく近傍に配置されるとよい。図２５の例では、第１加熱コイル５７２Ａはホルダー５２０の底壁５３０のごく近傍に沿って延長し、第２加熱コイル５７２Ｂはホルダー５２０の後壁５２８のごく近傍に沿って延長している。基部５７０には、加熱コイルの作動／非作動状態を切り替えて加熱コイルによって生成される熱量を調整する回転可能なノブ（つまみ）などの制御要素５７４を設けることができる。好ましくは、制御要素５７４を選択された所定の温度に設定した後に作動要素５３５が再密封可能なキャップ組立体と係合した場合にのみ、加熱コイル５７２が作動するように構成することができる。また、可撓性ディスペンサーパッケージがホルダー５２０から取り出された場合あるいは制御要素５７４がオフ位置に切換えられた場合、加熱アセンブリが非作動になるように構成される。【００５７】［実施例７］  図２６および図２７は本発明の好適な実施例７によるホルダー６２０を示している。ホルダー６２０は前壁６２６、前壁窓孔６３２、後壁６２８、および前壁６２６と後壁６２８を繋ぐ１つ以上の側壁６２９を備えている。側壁６２９はホルダー６２０の端部を閉鎖するように配置され、そのホルダー６２０に装着されるパッケージの両端の密封部を覆うように構成されている。側壁６２９は図２４および図２５に基いて述べた加熱要素を備えていてもよい。このホルダー６２０はそのホルダーをテーブルなどの表面部に取り付けるための１つ以上の吸着カップ６７５を有している。図２７の例では、吸着カップ６７５はホルダー６２０の後壁６２８に取付けられているが、ホルダー６２０のどの外面に取付けてもよい。【００５８】［実施例８］  図２８および図２９は本発明の好適な実施例８によるホルダー７２０を示している。ホルダー７２０は窓穴７３２を有する前壁７２６、後壁７２８、および前壁と後壁を接続する側壁７２９を備えている。後壁７２８は１つ以上の留め具７３３、例えば、ネジが挿通可能な寸法と形状を有する１つ以上の穴７３１を有している。留め具７３３は後壁７２８のこれらの穴７３１を貫通して、表面部７３７、例えば、壁あるいはテーブルの上面に固定される。留め具が貫通する穴はホルダー７２０の後壁７２８に制限されず、ホルダー７２０の側壁または底壁に形成されてもよい。【００５９】［実施例９］  図３０および図３１は本発明の好適な実施例９によるホルダー８２０を示している。ホルダー８２０の前壁８２６はその内面８９３に取り付けられた１つ以上の細長部材８９１を備えている。細長部材８９１は溝または長穴８９５を有している。再密封可能キャップ組立体（図示せず）の縁部または突出フランジをこれらの細長部材８９１の溝または長穴８９５に嵌入させることによって、ディスペンサーパッケージをホルダ８２０に固定することができる。細長部材８９１は前壁８２６に一体的に接続されてもよい。図示の例では、互いに対向する細長部材８９１Ａ、８９１Ｂが前壁窓孔８３２を画成する内周縁８３４に隣接して取付けられている。好ましくは、細長部材８９１Ａおよび８９１Ｂの溝８９５はキャップ組立体の外周縁が嵌入し易いように互いに対向して配置されているとよい。【００６０】［実施例１０］  図３２および図３３は本発明の好適な実施例１０によるホルダー９２０を示している。ホルダー９２０の前壁９２６はヒンジ９２７を有し、そのヒンジ９２７を中心として開位置と閉位置との間で回動可能である。また、ホルダーは後壁９２８を有している。この構成によれば、ユーザはヒンジ９２７を中心として前壁９２６を開閉することによって、ホルダー９２０に対してディスペンサーパッケージを容易に着脱することができる。図３２は閉位置におけるホルダー９２０の前壁９２６を示している。この閉位置から、前壁９２６をヒンジ９２７を中心として図３３に示す開位置まで回動させることができる。開位置において、パッケージをホルダー９２０に容易に装着させることができる。パッケージをホルダー９２０に装着させた後、前壁９２６を回動させて、図３２に示す閉位置へ戻すことができる。好ましくは、図３３に示すように、ホルダー９２０は前壁９２６を閉位置に戻すように付勢する弾性要素９２９をヒンジ９２７と隣接する位置に備えているとよい。この構成によれば、前壁９２６が開位置にあるとき、前壁９２６からユーザの指を離すだけで、前壁９２６は弾性力によって閉位置に戻る。なお、クリップ９２４を後壁に取り付けるとよい。【００６１】［実施例１１］  図３４Ａ、３４Ｂおよび３４Ｃは本発明の実施例１１によるホルダー１０２０を示している。ホルダー１０２０の前壁１０２２はその前壁を貫通する窓孔１０２４を有している。窓孔１０２４は幅方向に沿った直径Ｄ１を有している。ホルダー１０２０はさらに前壁１０２２と対向する後壁１０２６を備えている。フラップ（垂れ蓋）１０２８が後壁１０２６の上端に取り付けられている。フラップ１０２８は好ましくはホルダー１０２０の後壁１０２６に一体的に接続されているとよい。ホルダー１０２０はフラップ１０２８が閉鎖位置にあるときそのフラップ１０２８を留置するための留め具を備えているとよい。図３４Ａ、３４Ｂ、および３４Ｃに示す例において、この留め具は前壁１０２２に固着されたフック留め具１０３０とフラップ１０２８に固着されたループ留め具１０３２からなる。このようなフック・ループ留め具はＶＥＬＣＲＯ（登録商標）の商品名で一般的に市販されている。ただし、スナップ、ボタン、バックル（締め金）、紐、接着剤のような他の公知の留め具を用いてもよい。すなわち、ここに用いる「留め具」という用語は２つの部材を留置するのに用いる任意の手段を意味している。【００６２】  図３４Ｂに示すように、ホルダー１０２０の後壁１０２６は第１弾性ストラップ（革紐）１０３４Ａおよび第２弾性ストラップ１０３４Ｂを備えている。これらのストラップ１０３４Ａおよび１０３４Ｂは好ましくは互いに離間して配置されているとよい。第１弾性ストラップ１０３４Ａは後壁１０２６の上端に取り付けられる第１部分１０３６と後壁１０２６の下端に取り付けられる第２部分１０３８を有している。同様に、第２弾性ストラップ１０３４Ｂは後壁１０２６の上端に取り付けられる第１部分１０４０と後壁１０２６の下端に取り付けられる第２部分１０４２を有している。好ましくは、第１および第２弾性ストラップ１０３４Ａおよび１０３４Ｂの各々の第１および第２部分の自由端は選択的に互いに着脱できるフック・ループ留め具のような留め具を備えているとよい。また、ホルダー１０２０は後壁１０２６に取り付けられるループ１０４４を備えているとよい。ループ１０４４はホルダー１０２０を固定するのに用いられる。【００６３】  図３４Ｃに示すように、ホルダー１０２０は前壁１０２２と後壁１０２６間に延在する互いに対向する２つの側壁１０４６を備えている。これらの側壁１０４６はホルダー１０２０の前壁１０２２および後壁１０２６に縫合されるとよい。あるいは、側壁１０４６は前壁１０２２および後壁１０２６に接着剤または止め針によって接続されてもよい。フラップ１０２８は好ましくは１つ以上の折り目１０４８を有しているとよい。これらの折り目１０４８によって、フラップ１０２８を容易にホルダー１０２０の上部窓孔１０５０を閉塞するように折り曲げることができる。後で詳しく述べるように、前壁１０２２および後壁１０２６はディスペンサーパッケージが嵌入する内室、すなわち、内部区域１０５２を画成するように配置されるとよい。【００６４】  図３４Ａおよび図３５Ａに示すように、前壁１０２２は間隙１０５８を挟んで分割されている左部分１０５４および右部分１０５６からなる。フラップ１０２８を閉じると、そのフラップの左右のループ留め具１０３２は、それぞれ、前壁１０２２の左部分１０５４および右部分１０５６に設けた左右のフック留め具１０３０と係合し、左部分１０５４および右部分１０５６が左右方向に広がる、すなわち、窓孔１０２４が左右方向に広がるのを阻止することができる。本発明は操作方法については特に制限されないが、上述のフック・ループ留め具によって窓孔１０２４を拘束することによって、キャップ組立体が窓孔１０２４内に嵌入したとき、キャップが窓孔１０２４を通って内室１０５２内に脱落するのを防ぐことができる。また、上部フラップ１０２８は、ホルダーが上下に反転したとき、ディスペンサーパッケージ１０６０（図３６を参照）が上部窓孔１０５０から脱落するのを防ぐことができる。【００６５】  図３５Ｂに示すように、閉鎖位置まで折り曲げられた上部フラップ１０２８はホルダー１０２０の上端の上部窓孔１０５０を覆って前壁１０２２に重なる。上部フラップ１０２８はそのフラップに取り付けられたループ留め具１０３２と前壁１０２２に取り付けられたフック留め具１０３０の係合によって閉鎖位置に保持される。【００６６】  弾性ストラップ１０３４Ａの第１部分１０３６および第２部分１０３８の自由端同士を選択的に着脱するために、好ましくは、それらの自由端に１つ以上の留め具１０３９を設けるとよい。留め具１０３９はＶＥＬＣＲＯ（登録商標）の商品名で一般的に市販されている自由端同士を選択的に着脱することができるフック・ループ留め具であるとよい。【００６７】  図３６および図３７に示すように、ディスペンサーパッケージ１０６０は両端１０６４Ａおよび１０６４Ｂにおいて密封されるシート材料１０６２からなる。パッケージ１０６０は収納している１つ以上の物品を取り出すためにシート材料１０６２に形成さ��た開口１０６６を備えている。また、パッケージ１０６０は開口１０６６を囲むようにシート材料１０６２の外面に取り付けられるキャップ組立体１０６８を備えている。【００６８】  図３７に示すように、ディスペンサーパッケージ１０６０は互いに対向する端部１０６４Ａおよび１０６４Ｂにおいて密封され、その内部に１枚以上のシート１０７０を収納している。キャップ組立体１０６８はシート材料１０６２の外面に取り付けられる基部１０７２、基部１０７２の周囲から外方に延長するフランジ１０７４、および開位置と閉位置との間において移動可能なキャップ１０７６を備えている。キャップ１０７６が開位置（図示せず）にあるとき、開口１０６６は露出し、ユーザはその開口１０６６を介して１枚のシート１０７０を取り出すことができる。必要な枚数のシート１０７０を開口１０６６を介して取り出した後、キャップ１０７６を閉位置に戻すとよい。好ましくは、シートは湿潤状態に維持されることが望まれる湿潤タオルであるとよい。従って、キャップ１０７６は好ましくはシート１０７０が開口１０６６を介して取り出されるとき以外は常に閉位置に維持されるとよい。【００６９】  図３８はシート材料１０６２の外面に取り付けられる図３７のキャップ組立体１０６８の詳細図である。キャップ組立体１０６８はシート材料１０６２に取り付けられる底面を有する基部１０７２を備えている。基部１０７２はシート材料１０６２に接着によって取り付けられるとよい。キャップ組立体１０６８は基部１０７２に接続されているフランジ１０７４を備えている。このフランジ１０７４は基部１０７２から横方向に延出している。好ましくは、フランジ１０７４は基部１０７２と一体的に形成されるとよい。キャップ１０７６はヒンジを介して回動可能にフランジ１０７４に接続され、開位置と閉位置との間で移動可能である。好ましくは、キャップ１０７６とフランジ１０７４は掛け金機構（図示せず）を有しているとよい。この構成によれば、キャップ１０７６を掛け金によって閉位置に保持することができる。【００７０】  図３９はキャップ１０７６を省略させてシート１０７０を取り出すためにシート材料１０６２に形成された開口１０６６が露出させた状態の図３６のディスペンサーパッケージ１０６０を示している。キャップ組立体１０６８は幅方向に沿った寸法Ｄ２を有するフランジ１０７４を備えている。フランジ１０７４の幅方向の寸法Ｄ２はホルダー１０２０（図３４Ａを参照）の前壁１０２２の窓孔１０２４の幅方向の寸法Ｄ１よりも大きく設定されている。また、基部１０７２の幅方向の寸法は窓孔１０２４の幅方向の寸法Ｄ１よりも小さいかまたは等しくされている。【００７１】  図４０に示すように、フラップ１０２８を開位置に移動させ、前壁１０２２と後壁１０２６間の上部開口１０５０を開放することによって、ディスペンサーパッケージ１０６０をホルダー１０２０内に挿入する。このとき、パッケージ１０６０のシート材料１０６２をホルダー１０２０の内側に位置させ、フランジ１０７４をホルダー１０２０の外側に位置させ、キャップ組立体１０６８の一部である基部１０７２を前壁１０２２の窓孔１０２４を通過させる。基部１０７２が間隙１０５８に押し込まれると、その間隙１０５８を画成する左部分１０５４と右部分１０５６が左右にわずかに撓み、間隙１０５８が広がり、基部１０７２は窓孔１０２４内に嵌入する。前述したように、基部１０７２の幅方向の寸法は窓孔１０２４の幅方向の寸法Ｄ１よりも小さいかまたは等しく設定されている。この場合、フランジ１０７４の幅方向の寸法Ｄ２は前壁１０２２の窓孔１０２４の幅Ｄ１よりも大きく設定されているので、図４３に示すように、フランジ１０７４は窓孔１０２４から横方向に傘状に張り出している。従って、パッケージ１０６０がホルダー１０２０内に挿入された後にフランジ１０７４は窓孔１０２４を通過して、ホルダー１０２０内に脱落することがない。【００７２】  図４１はキャップ組立体１０６８のキャップ１０７６とフランジ１０７４を前壁１０２２の窓孔１０２４から傘状に突出させた状態でホルダー１０２０内に固定されたディスペンサーパッケージ１０６０を示している。このようにパッケージ１０６０を適切な箇所に固定した後、図４２に示すように、フラップ１０２８をホルダー１０２０の上端で折り曲げて前壁１０２２と係合させる。本発明は操作方法については特に制限されないが、上部フラップ１０２８によって、適切な箇所に固体されたパッケージ１０６０がホルダー１０２０から脱落するのを防ぐことができる。また、上部フラップ１０２８を閉鎖位置に配置したとき、そのフラップ１０２８の留め具によって、前壁１０２２の左部分と右部分が広がるのを防ぐことができる。【００７３】  図４３はホルダー１０２０の前壁１０２２、後壁１０２６、および互いに対向する側壁１０４６Ａおよび１０４６Ｂ間に固定されたディスペンサーパッケージ１０６０を示している。なお、明瞭化するために、後壁１０２６に固定されている弾性ストラップは図示していない。パッケージ１０６０はその内部に収納されているタオル（図示せず）を取り出すための開口１０６６を有している。また、パッケージ１０６０はシート材料１０６２の外面に取り付けられた基部１０７２を備えるキャップ組立体１０６８を備えている。キャップ組立体１０６８はさらに基部１０７２から外側に延出するフランジ１０７４、およびパッケージ１０６０の開口１０６６を開閉させる開位置と閉位置との間で移動可能な再閉鎖可能キャップ１０７６を有している。キャップ組立体１０６８のフランジ１０７４は前壁１０２２の窓孔１０２４から傘状に突出し、パッケージ１０６０がホルダー１０２０内に固定された後、フランジ１０７４は窓孔１０２４を通過することができない。従って、パッケージ１０６０がホルダー１０２０内に固定された後、キャップ組立体１０６８は、不注意な押し込み力がそのキャップ組立体１０６８に付加されても、窓孔１０２４からホルダー１０２０の内室内に抜け落ちることがない。【００７４】  図４４は弾性ストラップ１０３４Ａおよび１０３４Ｂによってバイザー（遮蔽板）１０８０に固定されたホルダー１０２０を示している。バイザー１０８０は好ましくは非使用時の略水平位置と日よけのための略垂直位置間で移動可能である自動車用のサンバイザーであるとよい。図４４に示すサンバイザー１０８０は略水平位置にある。サンバイザー１０８０はミラー（図示せず）を選択的に覆うミラーカバー１０８２を備えている。ホルダー１０２０の第２弾性ストラップ１０３４Ｂは、図４５に示すように、ミラーカバー１０８２に重なっている。【００７５】  図４５および図４６に示すように、ミラーカバー１０８２を開く場合、第２弾性ストラップ１０３４Ｂの第１部分１０４０と第２部分１０４２の自由端における留め具の接続を解除することによって、第１部分１０４０と第２部分１０４２を互いに引き離し、ホルダー（図示せず）から遊離させる。この場合、第１ストラップ１０３４Ａの第１部分１０３６と第２部分１０３８は互いに接続したままであり、ホルダー（図示せず）はサンバイザー１０８０に固定されている。図４７に示すように、第２ストラップ１０３４Ｂの第１および第２部分が互いに外れた後、ミラーカバー１０８２を開位置に移動させてミラー１０８４を露出させることができる。ミラー１０８４を用いた後、ユーザはミラーカバー１０８２を図４６に示す閉位置に戻すとよい。次いで、第２弾性ストラップ１０３４Ｂの第１部分１０４０と第２部分１０４２の自由端をそこに設けられた留め具によって互いに接続し、サンバイザー１０８０を図４４に示す略水平位置に戻すとよい。【００７６】［実施例１２］  図４８Ａおよび図４８Ｂは本発明の実施例１２によるホルダー１１２０を示している。ホルダー１１２０の前壁１１２２はその前壁を貫通する窓孔１１２４を有している。ホルダー１１２０はさらに前壁１１２２と対向する後壁１１２６および互いに対向する側壁１１４６Ａおよび１１４６Ｂを備えている。前壁１１２２は間隙１１５８を挟んで分割されている左部分１１５４および右部分１１５６を備えている。また、ホルダー１１２０は前壁１１２２の上端を横切って延長する固定要素１１２８を備えている。固定要素１１２８は前壁１１２２の左部分１１５４に取り付けられた第１端１１２９と前壁１１２２の右部分１１５６に取り付けられた第２端１１３１を有している。好ましくは、固定要素１１２８は、ディスペンサーパッケージがホルダー１１２０内に挿入された時、前壁１１２２の左部分１１５４と右部分１１５６を互いに向かって付勢するストラップ、例えば、弾性ストラップであるとよい。固定ストラップ１１２８は左部分１１５４と右部分１１５６が互いに離れる方向に移動するのを阻止し、ディスペンサーパッケージがホルダー１１２０から外に脱落するのを防ぎ、またはディスペンサーパッケージのキャップ組立体が窓孔１１２４を通ってホルダー１１２０の内部室内に脱落するのを防止する。【００７７】  図４９Ａおよび図４９Ｂはフランジ１１７４とキャップ１１７６を窓孔１１２４から外に突出させてホルダー１１２０に挿入されたディスペンサーパッケージ１１６０を示している。固定要素１１２８は前壁１１２２の左部分１１５４と右部分１１５６を互いに向かって付勢し、キャップ組立体を窓孔１１２４内の適切な位置に保持する。【００７８】［実施例１３］  図５０Ａおよび図５０Ｂは本発明の実施例１３によるホルダー１２２０を示している。ホルダー１２２０の前壁１２２２はその前壁を貫通する窓孔１２２４を有している。ホルダー１２２０は前壁１２２２と対向する後壁１２２６、および前壁���２２２と後壁１２２６間を繋ぐ互いに対向する側壁１２４６Ａおよび１２４６Ｂを備えている。前壁１２２２は切断線１２５８に沿って分断された左部分１２５４と右部分１２５６を備えている。ホルダー１２２０はさらに側壁１２４６Ａおよび１２４６Ｂに固定されてホルダー１２２０の上端側の窓孔を横切って延長する上部固定要素１２２８を備えている。固定要素１２２８は側壁１２４６Ａおよび１２４６Ｂを互いに向かって付勢し、前壁１２２２の左部分１２５４と右部分１２５６が互いに離れる方向に移動するのを阻止する固定ストラップ、たとえば弾性ストラップであるとよい。このような弾性ストラップは前述したようなディスペンサーパッケージがホルダー１２２０に挿入されるときに特に有用である。好ましくは、ホルダー１２２０はさらに左部分１２５４に固定された第１端と右部分１２５６に固定された第２端を有する前部固定要素１２２９を備えているとよい。前部固定要素１２２９も好ましくは前壁１２２２の左部分１２５４と右部分１２５６を互いに向かって付勢し、ホルダー１２２０内に挿入されたパッケージを保持する弾性ストラップであるとよい。【００７９】  図５１Ａおよび図５１Ｂはフランジ１２７４とキャップ１２７６を窓孔１２２４から外に突出させてホルダー１２２０に挿入されたディスペンサーパッケージ１２６０を示している。上部固定要素１２２８はパッケージ１２６０を覆うことによって、そのパッケージ１２６０をホルダー１２２０の内室内に保持する。上部固定要素１２２８は側壁１２４６Ａおよび１２４６Ｂを互いに向かって付勢する。上部固定要素１２２８と前部固定要素１２２９は前壁１２２２の左部分１２５４と右部分１２５６を互いに向かって付勢し、キャップ組立体とパッケージをホルダー１２２０内に保持する。【００８０】  以上、本発明を具体的な実施例に基いて説明したが、これらの実施例は本発明の原理と応用を単に例示したに過ぎない。従って、これらの実施例に基いて種々の変更例をなすことが可能であり、さらに請求項によって定められる本発明の精神と範囲から逸脱することなく他の構成を考案することも可能であることはいうまでもない。
【図面の簡単な説明】
【００８１】
【図１】本発明の実施例１によるディスペンサーパッケージ用ホルダーの正面図である。
【図２】後壁に一体的に接続されたクリップを備える図１に示すホルダーの右側面図である。
【図３Ａ】本発明の実施例１による再閉鎖可能キャップを含むディスペンサーパッケージの正面図である。
【図３Ｂ】再閉鎖可能キャップを省略した図３Ａのディスペンサーパッケージの正面図である。
【図４Ａ】図３Ａの線ＩＶ−ＩＶに沿った図３Ａのディスペンサーパッケージの断面図である。
【図４Ｂ】実施例１のディスペンサーパッケージの変更例の部分断面図である。
【図５】再閉鎖可能キャップが開位置にある状態を示す図３Ａおよび３Ｂのディスペンサーパッケージの左側面図である。
【図６】図１および図２に示すホルダーに部分的に挿入された図３Ａおよび３Ｂの可撓性ディスペンサーパッケージを示す図である。
【図７】図６の部分拡大図である。
【図８】図６の状態から図１のホルダーに完全に挿入されたディスペンサーパッケージの組立て状態を示す図である。
【図９】図８の線ＩＸ−ＩＸに沿った右側面図である。
【図１０】本発明の実施例２によるディスペンサーパッケージ用ホルダーの正面図である。
【図１１】図１０のホルダーに固定された図３Ａおよび３Ｂの可撓性ディスペンサーパッケージを示す図である。
【図１２】本発明の実施例３によるディスペンサーパッケージ用ホルダーを示す図である。
【図１３】密封フランジの外周部を含む可撓性ディスペンサーパッケージの部分図である。
【図１４】本発明の実施例４によるディスペンサーパッケージ用再密封可能キャップ組立体の斜視図である。
【図１５】図１４に示す再密封可能キャップ組立体の正面図である。
【図１６】図１５のＸＶＩ−ＸＶＩ線に沿った図１５の再密封可能キャップ組立体の部分図である。
【図１７】図１４の再密封可能キャップ組立体に対応する実施例４によるホルダーの斜視図である。
【図１８】本発明の実施例５によるディスペンサーパッケージ用再密封可能キャップ組立体の斜視図である。
【図１９】図１８の再密封可能キャップ組立体に対応する実施例５によるホルダーの斜視図である。
【図２０】図１８の再密封可能キャップ組立体の正面図である。
【図２１】図２０の線ＸＸＩ−ＸＸＩに沿った図２０の再密封可能キャップ組立体の部分図である。
【図２２】図１７および図１９に示すホルダーに用いられる実施例５によるクリップの背面図である。
【図２３】ホルダーから取外された図２２のクリップの斜視図である。
【図２４】本発明の実施例６によるディスペンサーパッケージ用ホルダおよび加熱ユニットの正面図である。
【図２５】図２４の線ＸＸＶ−ＸＸＶに沿った図２４のホルダーの右側面図である。
【図２６】本発明の実施例７によるディスペンサーパッケージ用ホルダーの正面図である。
【図２７】図２６の線ＸＸＶＩＩ−ＸＸＶＩＩに沿った図２６のホルダーの上面図である。
【図２８】本発明の実施例８によるディスペンサーパッケージ用ホルダーの正面図である。
【図２９】図２８の線ＸＸＩＸ−ＸＸＩＸに沿った図２８のホルダーの上面図である。
【図３０】本発明の実施例９によるホルダーの上面図である。
【図３１】図３０の線ＸＸＸＩ−ＸＸＸＩに沿った図３０のホルダーの部分断面図である。
【図３２】本発明の実施例１０によるホルダーの正面図である。
【図３３】ホルダーの前壁が開位置へ回動された状態を示す図３２の線ＸＸＸＩＩＩ−ＸＸＸＩＩＩに沿った図３２のホルダーの部分側面図である。
【図３４Ａ】本発明の実施例１１によるディスペンサーパッケージ用ホルダーの正面図である。
【図３４Ｂ】図３４Ａのホルダーの後面図である。
【図３４Ｃ】図３４Ａのホルダーの右側面図である。
【図３５Ａ】上部フラップが閉位置にある状態を示す図３４Ａのホルダーの正面図である。
【図３５Ｂ】図３５Ａのホルダーの右側面図である。
【図３６】実施例１１によるキャップ組立体を備えるディスペンサーパッケージの正面図である。
【図３７】図３６の線ＸＸＸＶＩＩ−ＸＸＸＶＩＩに沿った図３６のディスペンサーパッケージの側面図である。
【図３８】図３７のキャップ組立体の詳細図である。
【図３９】可動性キャップを省略した図３６のディスペンサーパッケージとキャップ組立体の正面図である。
【図４０】図３４Ａのホルダーに挿入された図３６のディスペンサーパッケージを示す図である。
【図４１】図４０の状態から図３４Ａのホルダーに完全に挿入されたディスペンサーパッケージを示す図である。
【図４２】図４１の状態からフラップが閉じられた後のホルダーを示す図である。
【図４３】図４２の線ＸＬＩＩＩ−ＸＬＩＩＩに沿った断面図である。
【図４４】バイザーに固定された図３５Ｂのホルダーを示す図である。
【図４５】略水平方向に位置した図４４のバイザーを示す図である。
【図４６】図４５の状態からホルダーの片方の弾性ストラップを外した状態のバイザーを示す図である。
【図４７】図４６の状態からミラー区域用カバーを広げた状態のバイザーを示す図である。
【図４８Ａ】本発明の実施例１２によるディスペンサーパッケージ用ホルダーの正面図である。
【図４８Ｂ】図４８Ａのホルダーの上面図である。
【図４９Ａ】ディスペンサーパッケージが挿入された状態の図４８Ａのホルダーを示す図である。
【図４９Ｂ】図４９Ａに示すホルダーとディスペンサーパッケージの上面図である。
【図５０Ａ】本発明の実施例１３によるディスペンサーパッケージ用ホルダーを示す図である。
【図５０Ｂ】図５０Ａのホルダーの上面図である。
【図５１Ａ】ディスペンサーパッケージが挿入された状態の図５０Ａのホルダーを示す図である。
【図５１Ｂ】図５１Ａに示すホルダーとディスペンサーパッケージの上面図である。
【符号の説明】
【００８２】２０、１２０，２２０、３２０、４２０、５２０、６２０、７２０、８２０、９２０、１０２０、１１２０、１２２０：  ホルダー４０、１４０、４４０：  パッケージ４６、１４６、２４６、３４６、４４６：  キャップ組立体３２、１３２、３３２、４３２、５３２、６３２、７３２、８３２：  窓孔５２、２５２、３５２、４５２：  フランジ４８、３４８、４４８：  カラー５４、３５４、４５４：  キャップ２４、４２４、９２４：  クリップ１０２８：  フラップ１０３０：  フック留め具１０３２：  ループ留め具１０２４、１１２４、１２２４：  窓孔１０５４、１１５４、１２５４：  左部分１０５６、１１５６、１２５６：  右部分１０３４Ａ：  第１ストラップ１０３４Ｂ：  第２ストラップ１０５２：  内室１０６０、１１６０、１２６０：  パッケージ１０６８：  キャップ組立体１０７２：  基部１０７４、１１７４、１２７４：  フランジ１０７６、１１７６、１２７６：  キャップ１０６２：  シート材料１１２８：  固定要素１２２８：  上部固定要素１２２９：  前部固定要素
【図１】
2005035671.tif 000003
【図２】
2005035671.tif 000004
【図３Ａ】
2005035671.tif 000005
【図３Ｂ】
2005035671.tif 000006
【図４Ａ】
2005035671.tif 000007
【図４Ｂ】
2005035671.tif 000008
【図５】
2005035671.tif 000009
【図６】
2005035671.tif 000010
【図７】
2005035671.tif 000011
【図８】
2005035671.tif 000012
【図９】
2005035671.tif 000013
【図１０】
2005035671.tif 000014
【図１１】
2005035671.tif 000015
【図１２】
2005035671.tif 000016
【図１３】
2005035671.tif 000017
【図１４】
2005035671.tif 000018
【図１５】
2005035671.tif 000019
【図１６】
2005035671.tif 000020
【図１７】
2005035671.tif 000021
【図１８】
2005035671.tif 000022
【図１９】
2005035671.tif 000023
【図２０】
2005035671.tif 000024
【図２１】
2005035671.tif 000025
【図２２】
2005035671.tif 000026
【図２３】
2005035671.tif 000027
【図２４】
2005035671.tif 000028
【図２５】
2005035671.tif 000029
【図２６】
2005035671.tif 000030
【図２７】
2005035671.tif 000031
【図２８】
2005035671.tif 000032
【図２９】
2005035671.tif 000033
【図３０】
2005035671.tif 000034
【図３１】
2005035671.tif 000035
【図３２】
2005035671.tif 000036
【図３３】
2005035671.tif 000037
【図３４Ａ】
2005035671.tif 000038
【図３４Ｂ】
2005035671.tif 000039
【図３４Ｃ】
2005035671.tif 000040
【図３５Ａ】
2005035671.tif 000041
【図３５Ｂ】
2005035671.tif 000042
【図３６】
2005035671.tif 000043
【図３７】
2005035671.tif 000044
【図３８】
2005035671.tif 000045
【図３９】
2005035671.tif 000046
【図４０】
2005035671.tif 000047
【図４１】
2005035671.tif 000048
【図４２】
2005035671.tif 000049
【図４３】
2005035671.tif 000050
【図４４】
2005035671.tif 000051
【図４５】
2005035671.tif 000052
【図４６】
2005035671.tif 000053
【図４７】
2005035671.tif 000054
【図４８Ａ】
2005035671.tif 000055
【図４８Ｂ】
2005035671.tif 000056
【図４９Ａ】
2005035671.tif 000057
【図４９Ｂ】
2005035671.tif 000058
【図５０Ａ】
2005035671.tif 000059
【図５０Ｂ】
2005035671.tif 000060
【図５１Ａ】
2005035671.tif 000061
【図５１Ｂ】
2005035671.tif 000062